(57)【要約】【課題】使用者の身体に効率よく温熱を付与することができるマッサージ機を提供する。【解決手段】マッサージ機１は、エアーバッグ４０、ヒーター線６０、およびヒーター線配置部材５０を有する。エアーバッグ４０は、使用者の身体をマッサージする。ヒーター線６０は、使用者の身体に温熱を付与する。ヒーター線配置部材５０は、シート状を有し、ヒーター線６０が配置される。ヒーター線配置部材５０は、エアーバッグ４０よりも使用者の身体に近い側に配置され、エアーバッグ４０の動作により伸縮する。ヒーター線６０は、ヒーター線配置部材５０のシート面５０Ａにおいて最も伸縮する縦方向Ｙにおける両端部間の距離が変化する波形構造６０Ａ，６０Ｂを有する。【選択図】図２
2014076198.tif 000002
【特許請求の範囲】
【請求項１】
使用者の身体をマッサージする施療部と、前記使用者の身体に温熱を付与するヒーター線と、前記ヒーター線が配置されるシート状のヒーター線配置部材とを備えるマッサージ機において、
前記ヒーター線配置部材は、前記施療部よりも前記使用者の身体に近い側に配置され、前記施療部の動作により伸縮し、
前記ヒーター線は、前記ヒーター線配置部材のシート面において最も伸縮する方向を最大伸縮方向として、前記最大伸縮方向における両端部間の距離が変化する伸縮構造を有する
マッサージ機。
【請求項２】
前記マッサージ機は、前記施療部を有するマッサージ機本体を備え、
前記マッサージ機本体は、前記ヒーター線配置部材の前記最大伸縮方向の両端部を前記マッサージ機本体に固定する固定部を有する
請求項１に記載のマッサージ機。
【請求項３】
前記伸縮構造は、複数の第１傾斜部分、複数の第２傾斜部分、および複数の折曲部分を有し、前記伸縮構造としての波形構造を形成し、
前記第１傾斜部分は、前記シート面において前記最大伸縮方向と直交する方向を直交方向として、前記最大伸縮方向の一方から他方から他方に向かうにつれて前記直交方向の一方から他方に向かい、
前記第２傾斜部分は、前記最大伸縮方向の一方から他方に向かうにつれて前記直交方向の他方から一方に向かい、
前記折曲部分は、隣り合う前記第１傾斜部分および前記第２傾斜部分の端部を互いに接続する
請求項１または２に記載のマッサージ機。
【請求項４】
前記ヒーター線配置部材は、前記最大伸縮方向において大伸縮部と、前記大伸縮部よりも伸縮量が小さい小伸縮部に区分され、
前記波形構造は、前記大伸縮部および前記小伸縮部をまたいで配置され、
前記大伸縮部の前記第１傾斜部は、前記小伸縮部の前記第１傾斜部よりも長く、
前記大伸縮部の前記第２傾斜部は、前記小伸縮部の前記第２傾斜部よりも長い
請求項３に記載のマッサージ機。
【請求項５】
前記ヒーター線配置部材は、前記最大伸縮方向において大伸縮部と、前記大伸縮部よりも伸縮量が小さい小伸縮部に区分され、
前記波形構造は、前記大伸縮部および前記小伸縮部をまたいで配置され、
前記大伸縮部の前記ヒーター線は、前記小伸縮部の前記ヒーター線よりも密に配置される
請求項３に記載のマッサージ機。
【請求項６】
前記ヒーター線は、複数の前記伸縮構造が形成され、
前記シート面において前記最大伸縮方向と直交する方向を直交方向として、前記ヒーター線配置部材は、前記直交方向において伸縮量の異なる部分を有し、
前記複数の伸縮構造は、前記直交方向において伸縮量の最大となる部分を避けて配置される
請求項５に記載のマッサージ機。
【発明の詳細な説明】
【技術分野】
【０００１】
本発明は、ヒーター線を有するマッサージ機に関する。
【背景技術】
【０００２】
図１５を参照して、従来のマッサージ機の構成について説明する。
従来のマッサージ機５００は、施療部５１０およびヒーター線配置部材５２０を有する。施療部５１０は、使用者の身体６００をマッサージする。ヒーター線５３０は、ヒーター線配置部材５２０の内部に配置される。ヒーター線５３０は、身体６００に温熱を付与する。なお、特許文献１は、従来のマッサージ機の一例を示している。
【先行技術文献】
【特許文献】
【０００３】
【特許文献１】特開平１１−７６３４６号公報
【発明の概要】
【発明が解決しようとする課題】
【０００４】
マッサージ機５００は、ヒーター線５３０が施療部５１０よりも身体６００から遠い位置に位置する。このため、ヒーター線５３０の温熱が効率的に身体６００に付与されないおそれがある。
【０００５】
本発明は、以上の背景をもとに創作されたものであり、使用者の身体に効率よく温熱を付与することができるマッサージ機を提供することを目的とする。
【課題を解決するための手段】
【０００６】
本手段は、「使用者の身体をマッサージする施療部と、前記使用者の身体に温熱を付与するヒーター線と、前記ヒーター線が配置されるシート状のヒーター線配置部材とを備えるマッサージ機において、前記ヒーター線配置部材は、前記施療部よりも前記使用者の身体に近い側に配置され、前記施療部の動作により伸縮し、前記ヒーター線は、前記ヒーター線配置部材のシート面において最も伸縮する方向を最大伸縮方向として、前記最大伸縮方向における両端部間の距離が変化する伸縮構造を有するマッサージ機」を含む。
【０００７】
上記手段の一形態は、「前記マッサージ機は、前記施療部を有するマッサージ機本体を備え、前記マッサージ機本体は、前記ヒーター線配置部材の前記最大伸縮方向の両端部を前記マッサージ機本体に固定する固定部を有するマッサージ機」を含む。
【０００８】
上記手段の一形態は、「前記伸縮構造は、複数の第１傾斜部分、複数の第２傾斜部分、および複数の折曲部分を有し、前記伸縮構造としての波形構造を形成し、前記第１傾斜部分は、前記シート面において前記最大伸縮方向と直交する方向を直交方向として、前記最大伸縮方向の一方から他方から他方に向かうにつれて前記直交方向の一方から他方に向かい、前記第２傾斜部分は、前記最大伸縮方向の一方から他方に向かうにつれて前記直交方向の他方から一方に向かい、前記折曲部分は、隣り合う前記第１傾斜部分および前記第２傾斜部分の端部を互いに接続するマッサージ機」を含む。
【０００９】
上記手段の一形態は、「前記ヒーター線配置部材は、前記最大伸縮方向において大伸縮部と、前記大伸縮部よりも伸縮量が小さい小伸縮部に区分され、前記波形構造は、前記大伸縮部および前記小伸縮部をまたいで配置され、前記大伸縮部の前記第１傾斜部は、前記小伸縮部の前記第１傾斜部よりも長く、前記大伸縮部の前記第２傾斜部は、前記小伸縮部の前記第２傾斜部よりも長いマッサージ機」を含む。
【００１０】
上記手段の一形態は、「前記ヒーター線配置部材は、前記最大伸縮方向において大伸縮部と、前記大伸縮部よりも伸縮量が小さい小伸縮部に区分され、前記波形構造は、前記大伸縮部および前記小伸縮部をまたいで配置され、前記大伸縮部の前記ヒーター線は、前記小伸縮部の前記ヒーター線よりも密に配置されるマッサージ機」を含む。
【００１１】
上記手段の一形態は、「前記ヒーター線は、複数の前記伸縮構造が形成され、前記シート面において前記最大伸縮方向と直交する方向を直交方向として、前記ヒーター線配置部材は、前記直交方向において伸縮量の異なる部分を有し、前記複数の伸縮構造は、前記直交方向において伸縮量の最大となる部分を避けて配置されるマッサージ機」を含む。
【発明の効果】
【００１２】
本マッサージ機は、使用者の身体に効率よく温熱を付与することができる。
【図面の簡単な説明】
【００１３】
【図１】第１実施形態のマッサージ機に関する側面図であり、マッサージ機の側面構造を示す側面図。
【図２】第１実施形態の体肢マッサージ部に関する平面図であり、エアーバッグが最も収縮しているときの体肢マッサージ部の平面構造を示す平面図。
【図３】第１実施形態のヒーター線に関する平面図であり、ヒーター線の一部を拡大して示す平面図。
【図４】第１実施形態の体肢マッサージ部に関する平面図であり、エアーバッグが最も膨張しているときの体肢マッサージ部の平面構造を示す平面図。
【図５】第１実施形態の体肢マッサージ部に関する断面図であり、図２のＳ５−Ｓ５線に沿う断面構造を示す断面図。
【図６】第１実施形態の体肢マッサージ部に関する断面図であり、図４のＳ６−Ｓ６線に沿う断面構造を示す断面図。
【図７】第１実施形態の体肢マッサージ部に関する断面図であり、図２のＳ７−Ｓ７線に沿う断面構造を示す断面図。
【図８】第１実施形態の体肢マッサージ部に関する断面図であり、図４の体肢マッサージ部のＳ８−Ｓ８線に沿う断面構造を示す断面図。
【図９】第２実施形態の体肢マッサージ部に関する平面図であり、エアーバッグが最も収縮しているときの体肢マッサージ部の平面構造を示す平面図。
【図１０】第２実施形態の体肢マッサージ部に関する断面図であり、エアーバッグが最も膨張しているときの体肢マッサージ部のＳ１０−Ｓ１０線に沿う断面構造を示す断面図。
【図１１】第２実施形態の体肢マッサージ部に関する断面図であり、エアーバッグが最も膨張しているときの体肢マッサージ部のＳ１１−Ｓ１１線に沿う断面構造を示す断面図。
【図１２】変形例の体肢マッサージ部に関する平面図であり、エアーバッグが最も膨張しているときの体肢マッサージ部の平面構造を示す平面図。
【図１３】変形例の体肢マッサージ部に関する平面図であり、エアーバッグが最も膨張しているときの体肢マッサージ部の平面構造を示す平面図。
【図１４】変形例の体肢マッサージ部に関する平面図であり、エアーバッグが最も膨張しているときの体肢マッサージ部の平面構造を示す平面図。
【図１５】従来のマッサージ機に関する断面図であり、施療部、ヒーター線、およびヒーター線配置部材の断面構造を示す断面図。
【発明を実施するための形態】
【００１４】
（第１実施形態）
図１に示されるように、マッサージ機１は、マッサージ機本体１０、背面マッサージ部２０、および体肢マッサージ部３０を有する。
【００１５】
マッサージ機本体１０は、座部１１、背もたれ１２、肘掛１３、オットマン１６、固定部１９、背面マッサージ部２０、およびエアーバッグ４０（図２参照）を有する。なお、エアーバッグ４０は、「施療部」に相当する。
【００１６】
肘掛１３は、肘掛上部１４および肘掛下部１５を有する。肘掛上部１４は、肘掛下部１５の上方に配置される。肘掛上部１４は、肘掛下部１５に対して回転可能に接続される。肘掛１３は、肘掛下部１５の上面に置かれる使用者の身体７０の前腕７１を肘掛上部１４により挟み込む。
【００１７】
オットマン１６は、足載台１７および脚配置部１８を有する。足載台１７は、身体７０の足裏７３を支持する。脚配置部１８は、凹部１８Ａを有する。凹部１８Ａは、身体７０の下腿７２を支持する。オットマン１６は、座部１１に対して回転可能に取り付けられる。
【００１８】
背面マッサージ部２０は、揉み玉２１を有する。背面マッサージ部２０は、背もたれ１２の内部に配置される。背面マッサージ部２０は背もたれ１２の表面側に向かって揉み玉２１が突出することにより、身体７０の背中７４をマッサージする。
【００１９】
固定部１９は、肘掛下部１５の身体７０側の面および脚配置部１８の身体７０側の面に配置される。なお、以下では、各部の身体７０側の面を「表面」とし、表面と反対側の面を「裏面」とする。また、裏面から表面に向かう方向を「表方Ｚ１」とする。また、表面から裏面に向かう方向を「裏方Ｚ２」とする。
【００２０】
図２に示されるように、固定部１９は、ヒーター線配置部材５０をマッサージ機本体１０としての肘掛下部１５の表面、または凹部１８Ａに固定する。
体肢マッサージ部３０は、エアーバッグ４０、ヒーター線配置部材５０、およびヒーター線６０を有する。
【００２１】
図１に示されるように、体肢マッサージ部３０は、肘掛下部１５の表面および脚配置部１８の表面に配置される。肘掛下部１５の表面に配置される体肢マッサージ部３０は、前腕７１をマッサージする。脚配置部１８の表面に配置される体肢マッサージ部３０は、下腿７２をマッサージする。
【００２２】
図２に示されるように、エアーバッグ４０は、長方形状を有する。エアーバッグ４０は、表面４１および裏面４２（図４参照）を有する。エアーバッグ４０は、エアーポンプ（図示略）からのエアーの供給および排出にともなって膨張および収縮する。エアーバッグ４０は、膨張により身体７０（図１参照）を加圧する。
【００２３】
以下では、エアーバッグ４０の表面４１における長辺に沿う方向を「縦方向Ｙ」とする。また、エアーバッグ４０の短辺に沿う方向を「幅方向Ｘ」とする。なお、縦方向Ｙは、「最大伸縮方向」に相当する。幅方向Ｘは、「直交方向」に相当する。
【００２４】
ヒーター線配置部材５０は、伸縮方向端部５３および直交方向端部５４を有する。ヒーター線配置部材５０は、表側にシート面５０Ａを有する。ヒーター線配置部材５０は、シート状かつ長方形状を有する。ヒーター線配置部材５０は、エアーバッグ４０の表面４１を覆う。シート面５０Ａは、身体７０（図１参照）に接する。
【００２５】
ヒーター線配置部材５０のシート面における長辺に沿う方向は、縦方向Ｙと一致する。ヒーター線配置部材５０のシート面５０Ａにおける短辺に沿う方向は、幅方向Ｘと一致する。ヒーター線配置部材５０は、エアーバッグ４０の膨張にともなって伸張する。ヒーター線配置部材５０は、縦方向Ｙにおいて、１つの大伸縮部５１および２つの小伸縮部５２に区分される。大伸縮部５１は、縦方向Ｙの中央部分およびこの付近に位置する。２つの小伸縮部５２は、縦方向Ｙの大伸縮部５１よりも端部側に位置する。
【００２６】
伸縮方向端部５３は、縦方向Ｙの両端部として形成される。直交方向端部５４は、幅方向Ｘの両端部として形成される。伸縮方向端部５３および直交方向端部５４は、固定部１９に挟み込まれることによりマッサージ機本体１０に固定される。これにより、ヒーター線配置部材５０は、マッサージ機本体１０に固定される。
【００２７】
ヒーター線６０は、ヒーター線配置部材５０の内部に埋め込まれている。ヒーター線６０は、伸縮構造としての第１波形構造６０Ａおよび第２波形構造６０Ｂを有する。ヒーター線６０の端部は、電線Ｃを介して図示しない電源に接続される。ヒーター線６０は、電源から電気が供給されるとき、ヒーター線６０が発熱し、身体７０に温熱を付与する。
【００２８】
図３に示されるように、各波形構造６０Ａ，６０Ｂは、第１傾斜部分６１、第２傾斜部分６２、および折曲部分６３を有する。各波形構造６０Ａ，６０Ｂは、大伸縮部５１および小伸縮部５２をまたいで配置される。
【００２９】
各第１傾斜部分６１は、ヒーター線６０が縦方向Ｙの一方から他方に向かうにつれて、幅方向Ｘの一方から他方に向かう。各第２傾斜部分６２は、ヒーター線６０が縦方向Ｙの一方から他方に向かうにつれて、幅方向Ｘの他方から一方に向かう。各折曲部分６３は、Ｕ字形状を有する。各折曲部分６３は、隣り合う第１傾斜部分６１および第２傾斜部分６２を互いに接続する。
【００３０】
各第１傾斜部分６１および各第２傾斜部分６２の長さは等しい。各第１傾斜部分６１の縦方向Ｙに対する傾斜角度は等しい。各第２傾斜部分６２の縦方向Ｙに対する傾斜角度は等しい。幅方向Ｘの一方側の各折曲部分６３は、縦方向Ｙに平行に整列する。幅方向Ｘの他方側の各折曲部分６３は、縦方向Ｙに平行に整列する。隣り合う第１傾斜部分６１および第２傾斜部分６２は、一定の間隔で配置される。
【００３１】
図４に示されるように、エアーバッグ４０が膨張するとき、ヒーター線配置部材５０は伸張する。ヒーター線６０は、ヒーター線配置部材５０の伸張にともなって各波形構造６０Ａ，６０Ｂが伸びる。具体的には、各波形構造６０Ａ，６０Ｂの縦方向Ｙの両端部間の距離が大きくなり、幅方向Ｘの両端部間の距離が小さくなる。換言すれば、エアーバッグ４０が膨張しているときの波形構造６０Ａ，６０Ｂの波形は、エアーバッグ４０が収縮しているときの波形構造６０Ａ，６０Ｂの波形よりも疎になる。
【００３２】
図５〜図８を参照して、エアーバッグ４０の膨張およびヒーター線配置部材５０の伸縮について説明する。
エアーバッグ４０は、縦方向Ｙの膨張量が幅方向Ｘの膨張量よりも大きい。このため、ヒーター線配置部材５０は、縦方向Ｙの伸張量が幅方向Ｘの伸張量よりも大きい。
【００３３】
以下では、エアーバッグ４０の所定の断面における最も収縮したときの面積と最も膨張したときの面積との差を「膨張量」とする。また、体肢マッサージ部３０の所定の断面におけるエアーバッグ４０が最も収縮したときのヒーター線配置部材５０の長さと最も膨張したときのヒーター線配置部材５０の長さとの差を「伸張量」とする。
【００３４】
図５および図６に示されるように、エアーバッグ４０は、縦方向Ｙに膨張する。エアーバッグ４０は、最も膨張するとき、縦方向Ｙにおいて、中央部分が最も表方Ｚ１側に突出する。エアーバッグ４０は、膨張した状態において、中央部分が最も屈曲率が大きい。
【００３５】
ヒーター線配置部材５０は、エアーバッグ４０が膨張するとき、縦方向Ｙに伸張する。ヒーター線配置部材５０は、エアーバッグ４０が最も膨張するとき、縦方向Ｙにおいて、中央部分が最も伸張する。すなわち、小伸縮部５２の伸張量は、大伸縮部５１の伸張量よりも小さい。
【００３６】
図７および図８に示されるように、エアーバッグ４０は、幅方向Ｘに膨張する。エアーバッグ４０は、最も膨張するとき、幅方向Ｘにおいて、中央部分が最も表方Ｚ１側に突出する。エアーバッグ４０は、膨張した状態において中央部分が最も屈曲率が大きい。
【００３７】
ヒーター線配置部材５０は、エアーバッグ４０が膨張するとき、幅方向Ｘに伸張する。ヒーター線配置部材５０は、エアーバッグ４０が最も膨張するとき、縦方向Ｙにおいて、中央部分が最も伸張する。ヒーター線配置部材５０は、エアーバッグ４０が最も膨張するとき、縦方向Ｙにおいて、中央部分が最も屈曲する。
【００３８】
マッサージ機１の作用について説明する。
ヒーター線６０は、エアーバッグ４０よりも表方Ｚ１側に配置される。このため、ヒーター線６０がエアーバッグ４０の裏方Ｚ２側に配置される場合よりも、ヒーター線６０が身体７０に近い。このため、ヒーター線６０は、ヒーター線６０がエアーバッグ４０の裏方Ｚ２側に配置される場合と同程度の温熱を低い発熱量で身体に付与できる。
【００３９】
ヒーター線配置部材５０は、マッサージ機本体１０に固定される。このため、エアーバッグ４０の膨張にともなって、ヒーター線６０がエアーバッグ４０および身体７０からずれることを抑制できる。また、ヒーター線６０は伸縮構造としての波形構造６０Ａ，６０Ｂを有する。このため、ヒーター線配置部材５０が伸縮するときのヒーター線６０の負荷を軽減できる。
【００４０】
ヒーター線配置部材５０において幅方向Ｘの中央部分は、ヒーター線配置部材５０の幅方向Ｘにおいて伸縮量および屈曲率が最も大きい。屈曲する部分にヒーター線６０を配置したとき、ヒーター線６０も屈曲する。このため、ヒーター線６０に負荷がかかる。各波形構造６０Ａ，６０Ｂは、最も屈曲率の大きい幅方向Ｘの中央部分を避けて配置される。このため、各波形構造６０Ａ，６０Ｂを幅方向Ｘの中央部分に配置する場合と比較して、ヒーター線６０の負荷を軽減できる。
【００４１】
ヒーター線６０が、縦方向Ｙと平行に配置される場合、ヒーター線６０に引っ張り応力が作用する。また、ヒーター線６０が、縦方向Ｙに直交して配置される場合、ヒーター線６０にせん断応力が作用する。ヒーター線６０は、波形構造６０Ａ，６０Ｂを有し、第１傾斜部分６１および第２傾斜部分６２が縦方向Ｙに対して傾斜する。このため、ヒーター線６０は、第１傾斜部分６１および第２傾斜部分６２における引っ張り応力およびせん断応力を小さくできる。
【００４２】
本実施形態のマッサージ機１は、以下の効果を奏する。
（１）ヒーター線配置部材５０は、エアーバッグ４０よりも使用者の身体７０に近い側に配置される。このため、ヒーター線配置部材５０がエアーバッグ４０よりも使用者の身体７０から遠い側に配置される構成と比較して、使用者の身体７０に温熱を効率的に付与できる。
【００４３】
（２）ヒーター線６０は、伸縮構造を有する。このため、ヒーター線配置部材５０が伸びるとき、ヒーター線６０が伸びる。このため、ヒーター線６０が伸縮構造を有しない構成と比較して、ヒーター線６０にかかる負荷が軽減できる。
【００４４】
ここで、ヒーター線配置部材がエアーバッグよりも身体７０から遠い側に配置される仮想のマッサージ機は、ヒーター線配置部材がマッサージ機本体の表面に配置される。このためヒーター線配置部材がエアーバッグの膨張にともなって伸縮しない。
【００４５】
一方、ヒーター線配置部材５０は、エアーバッグ４０よりも使用者の身体７０に近い側に配置される。このため、ヒーター線配置部材５０がエアーバッグ４０の膨張にともなって伸びる。このため、エアーバッグ４０が膨張するとき、ヒーター線６０が伸縮方向に引っ張られて負荷がかかる。
【００４６】
ヒーター線６０は、伸縮構造を有する。このため、マッサージ機１は、使用者の身体７０に温熱を効率的に付与することと、ヒーター線６０にかかる負荷を低減することとを両立できる。
【００４７】
（３）マッサージ機本体１０は、ヒーター線配置部材５０を各伸縮方向端部５３においてマッサージ機本体１０に固定する固定部１９を有する。このため、ヒーター線配置部材５０は、エアーバッグ４０が動作するときに身体７０に対してずれにくい。このため、温熱を付与する身体７０の部位が所望の部位からずれることを抑制できる。
【００４８】
ここで、ヒーター線配置部材の各伸縮方向端部の一方または両方がマッサージ機本体に固定されていない仮想のマッサージ機は、エアーバッグが膨張するとき、ヒーター線配置部材がエアーバッグに対してずれる。このため、ヒーター線配置部材は、エアーバッグの膨張にともなって伸縮しない、または伸縮量が小さい。
【００４９】
一方、マッサージ機１は、縦方向Ｙの伸縮方向端部５３がマッサージ機本体１０に固定されているため、ヒーター線配置部材５０の伸縮量が仮想のマッサージ機のヒーター線配置部材の伸縮量よりも大きい。このため、エアーバッグ４０が膨張するときのヒーター線６０にかかる伸縮方向の負荷も大きくなる。
【００５０】
ヒーター線６０は、伸縮構造を有する。このため、マッサージ機１は、温熱を付与する使用者の身体７０の部位が所望の部位からずれることと、ヒーター線６０にかかる負荷を低減することとを両立できる。
【００５１】
（４）マッサージ機１のヒーター線６０は、伸縮構造としての波形構造６０Ａ，６０Ｂを形成する。第１傾斜部分６１および第２傾斜部分６２は、縦方向Ｙに対して傾斜する。このため、ヒーター線配置部材５０を介してヒーター線６０が縦方向Ｙに引っ張られたとき、第１傾斜部分６１および第２傾斜部分６２が幅方向Ｘに平行な場合と比較して、第１傾斜部分６１および第２傾斜部分６２の単位長あたりの引っ張り応力が小さくなる。すなわち、ヒーター線６０の負荷がより軽減される。
【００５２】
（５）各波形構造６０Ａ，６０Ｂは、ヒーター線配置部材５０のうちの幅方向Ｘにおける伸縮量が最大となる中央部分を避けて配置される。このため、ヒーター線配置部材５０が幅方向Ｘに伸びるときのヒーター線６０の負荷を軽減できる。
【００５３】
（第２実施形態）
本実施形態のマッサージ機１は、第１実施形態のマッサージ機１と比較して次の部分において異なる構成を有し、その他の部分において同一の構成を有する。すなわち、エアーバッグ１４０の平面視が正円形状を有し、ヒーター線１６０が放射状に配置される。
【００５４】
図９に示されるように、エアーバッグ１４０は、表面１４１および裏面１４２（図９参照）が正円形状を有する。
図１０および図１１に示されるように、エアーバッグ１４０は、エアーバッグ１４０の中心を通過しかつ縦方向Ｙに沿う断面、およびエアーバッグ１４０の中心を通過しかつ幅方向Ｘに沿う断面が同じ形状を有する。エアーバッグ１４０は、中央部分が最も屈曲率が大きい。
【００５５】
図９に示されるように、ヒーター線配置部材１５０は、正方形状を有する。ヒーター線配置部材１５０は、エアーバッグ１４０の表面１４１の全体を覆う。
以下では、ヒーター線配置部材１５０のシート面において中心から端部に向かう方向を「放射方向Ｗ」とする。なお、放射方向Ｗは、「最大伸縮方向」に相当する。
【００５６】
図１０および図１１に示されるように、ヒーター線配置部材１５０は、中央部分が最も伸張量および屈曲率が大きい。
ヒーター線１６０は、８つの波形構造１６０Ａ、１６０Ｂ、１６０Ｃ，１６０Ｄ，１６０Ｅ，１６０Ｆ，１６０Ｇ，１６０Ｈを有する。各波形構造１６０Ａ〜１６０Ｈは、放射方向Ｗに沿って配置される。各波形構造１６０Ａ〜１６０Ｈは、ヒーター線配置部材１５０の中央部分を避けて配置される。
【００５７】
本実施形態のマッサージ機１は、第１実施形態の（１）〜（４）に準じた効果に加えて、以下の効果を奏する。
（５）各波形構造１６０Ａ〜１６０Ｈは、ヒーター線配置部材５０のうちの放射方向Ｗにおける伸縮量が最大となる中央部分を避けて配置される。このため、ヒーター線配置部材５０が放射方向Ｗに伸びるときのヒーター線６０の負荷を軽減できる。
【００５８】
（その他の実施形態）
本マッサージ機は、第１実施形態および第２実施形態以外の実施形態を含む。以下、本マッサージ機のその他の実施形態としての第１実施形態および第２実施形態の変形例を示す。なお、以下の各変形例は、互いに組み合わせることもできる。
【００５９】
・第１実施形態のヒーター線６０は、２つの波形構造６０Ａ，６０Ｂを有する。ただし、ヒーター線６０の構成はこれに限られない。例えば、変形例のヒーター線６０は、３つ以上の波形構造を有する。この場合、波形構造のうちの１つを幅方向Ｘの中央部分に配置することもできる。
【００６０】
・第１実施形態のヒーター線６０は、複数の波形構造６０Ａ，６０Ｂを有する。ただし、ヒーター線６０の構成はこれに限られない。例えば、図１２に示される変形例のヒーター線２６０は、１つの波形構造を有する。波形構造は、幅方向Ｘの中央部分に配置される（変形例Ａ）。
【００６１】
・変形例Ａにおいて、波形構造６０Ａを幅方向Ｘの中央部分よりも幅方向Ｘの端部側に配置することもできる。
・第１実施形態のヒーター線６０は、各第１傾斜部分６１および各第２傾斜部分６２の長さが等しい。ただし、ヒーター線６０の構成はこれに限られない。例えば、図１３に示される変形例のヒーター線３６０は、大伸縮部５１の第１傾斜部分３６１の長さが、小伸縮部５２の第１傾斜部分３６１よりも長い。大伸縮部５１の第２傾斜部分３６２の長さが、小伸縮部５２の第２傾斜部分３６２よりも長い。
【００６２】
ヒーター線配置部材５０は、大伸縮部５１の伸縮量が小伸縮部５２の伸縮量よりも大きい。ヒーター線３６０は、大伸縮部５１の伸縮量の第１傾斜部分３６１および第２傾斜部分３６２が長い。このため、ヒーター線３６０の引っ張り応力による単位長さあたりの負荷を軽減できる。
【００６３】
・第１実施形態のヒーター線６０は、隣り合う第１傾斜部分６１および第２傾斜部分６２が一定の間隔で配置される。ただし、ヒーター線６０の構成はこれに限られない。例えば、図１４に示す変形例のヒーター線４６０は、隣り合う第１傾斜部分４６１および第２傾斜部分４６２の間隔が、縦方向Ｙの中央部分およびこの付近で密となり、縦方向Ｙの端部で疎となる。
【００６４】
ヒーター線配置部材５０は、大伸縮部５１の伸縮量が小伸縮部５２の伸縮量よりも大きい。ヒーター線４６０は、大伸縮部５１の第１傾斜部分４６１および第２傾斜部分４６２が密に形成される。このため、大伸縮部５１の引っ張り応力による単位長さあたりの負荷を軽減できる。
【００６５】
・各実施形態の第１傾斜部分６１は、幅方向Ｘに対して傾斜する。ただし、第１傾斜部分６１の構成はこれに限られない。例えば、変形例の第１傾斜部分６１は、幅方向Ｘに平行する。
【００６６】
・各実施形態の第２傾斜部分６２は、幅方向Ｘに対して傾斜する。ただし、第２傾斜部分６２の構成はこれに限られない。例えば、変形例の第２傾斜部分６２は、幅方向Ｘに平行する。
【００６７】
・各実施形態のヒーター線６０，１６０は、伸縮構造としての波形構造６０Ａ，６０Ｂ，１６０Ａ〜１６０Ｈを有する。ただし、ヒーター線６０の構成はこれに限られない。例えば、変形例のヒーター線６０は、伸縮方向端部５３においてあそび部を有する。あそび部は、ヒーター線配置部材５０に固定されない。
【００６８】
・各実施形態のヒーター線６０，１６０は、ヒーター線配置部材５０の内部に埋め込まれている。ただし、ヒーター線６０の構成はこれに限られない。例えば、変形例のヒーター線６０は、ヒーター線配置部材５０のシート面５０Ａ、または裏面に配置される。この場合、ヒーター線６０の一部のみをヒーター線配置部材５０に固定してもよいし、ヒーター線６０の全体をヒーター線配置部材５０に固定してもよい。固定方法としては、縫い付け、または接着等が挙げられる。
【００６９】
・各実施形態のヒーター線配置部材５０は、肘掛下部１５の表面、または脚配置部１８の表面に固定される。ただし、ヒーター線配置部材５０の構成はこれに限られない。例えば、変形例のヒーター線配置部材５０は、エアーバッグ４０の表面に固定される。
【００７０】
・各実施形態のヒーター線配置部材５０は、マッサージ機本体１０に固定される。ただし、ヒーター線配置部材５０の構成はこれに限られない。例えば、変形例のヒーター線配置部材５０は、マッサージ機本体１０に固定されない。
【００７１】
・各実施形態のヒーター線配置部材５０は、縁の全体が固定部１９によりマッサージ機本体１０に固定される。ただし、ヒーター線配置部材５０の構成はこれに限られない。例えば、変形例のヒーター線配置部材５０は、縁の一部分のみがマッサージ機本体１０に固定される。
【００７２】
・各実施形態の体肢マッサージ部３０は、施療部としてのエアーバッグ４０を有する。ただし、体肢マッサージ部３０の構成はこれに限られない。例えば、変形例の体肢マッサージ部３０は、施療部としての揉み玉を有する。
【００７３】
・各実施形態のヒーター線配置部材５０は、肘掛１３およびオットマン１６のエアーバッグ４０の表面４１を覆う。ただし、ヒーター線配置部材５０の構成はこれに限られない。例えば、変形例のヒーター線配置部材５０は、背面マッサージ部２０の表面を覆う。この場合、揉み玉２１が施療部に相当する。
【００７４】
・各実施形態のエアーバッグ４０およびヒーター線配置部材５０は、肘掛１３およびオットマン１６に配置される。ただし、エアーバッグ４０およびヒーター線配置部材５０の構成はこれに限られない。例えば、変形例のエアーバッグ４０およびヒーター線配置部材５０は、座部１１および背もたれ１２の少なくとも一方に配置される。
【００７５】
・各実施形態のマッサージ機１は、ヒーター線配置部材５０が身体７０に接する。ただし、マッサージ機１の構成はこれに限られない。例えば、変形例のマッサージ機１は、ヒーター線配置部材５０のシート面５０Ａに、カバーが配置される。
【００７６】
・各実施形態のマッサージ機１は、マッサージ機本体１０を有する。ただし、マッサージ機１の構成はこれに限られない。例えば、変形例のマッサージ機１は、マッサージ機本体１０を省略している。この場合、体肢マッサージ部３０は、下腿７２または前腕７１を包むことのできるエアーバッグを有し、エアーバッグの膨張により身体７０をマッサージする。
【００７７】
（実施形態の記載に基づく付記事項）
上記実施形態に記載の事項を上位概念化した事項を以下に記載する。
（付記１）
使用者の身体をマッサージするエアーバッグと、前記使用者の身体に温熱を付与するヒーター線と、前記ヒーター線が配置されるシート状のヒーター線配置部材とを備えるマッサージ機において、
前記エアーバッグは、使用者の身体側の面において最も膨張したときの両端部と最も収縮したときの両端部間との距離の差が方向毎に異なり、
前記ヒーター線配置部材は、前記エーバッグよりも前記使用者の身体側に配置され、前記エアーバッグの膨張に応じて伸縮し、
前記ヒーター線は、前記伸縮量の最も大きい方向を最大伸縮方向として、前記最大伸縮方向と直交する直交方向に蛇行しながら前記最大伸縮方向の一方から他方に向かう波形構造を有するマッサージ機。
（付記２）
使用者の身体をマッサージする施療部と、前記使用者の身体に温熱を付与するヒーター線と、前記ヒーター線が配置されるシート状のヒーター線配置部材とを備えるマッサージ機において、
前記ヒーター線配置部材は、前記施療部よりも前記使用者の身体に近い側に配置され、前記施療部の動作により伸縮し、前記ヒーター線配置部材のシート面において最も伸縮する方向を最大伸縮方向として、前記最大伸縮方向において大伸縮部と、前記大伸縮部よりも伸縮量が小さい小伸縮部に区分され、
前記ヒーター線は、前記最大伸縮方向における両端部間の距離が変化する伸縮構造としての波形構造を有し、
前記波形構造は、複数の第１傾斜部分、複数の第２傾斜部分、および複数の折曲部分を有し、前記大伸縮部および前記小伸縮部をまたいで配置され、
前記第１傾斜部分は、前記シート面において前記最大伸縮方向と直交する方向を直交方向として、前記最大伸縮方向の一方から他方から他方に向かうにつれて前記直交方向の一方から他方に向かい、
前記第２傾斜部分は、前記最大伸縮方向の一方から他方に向かうにつれて前記直交方向の他方から一方に向かい、
前記折曲部分は、隣り合う前記第１傾斜部分および前記第２傾斜部分の端部を互いに接続し、
前記大伸縮部の前記第１傾斜部は、前記小伸縮部の前記第１傾斜部よりも長く、
前記大伸縮部の前記第２傾斜部は、前記小伸縮部の前記第２傾斜部よりも長く、
前記大伸縮部の前記ヒーター線は、前記小伸縮部の前記ヒーター線よりも密に配置されるマッサージ機。
【符号の説明】
【００７８】
１…マッサージ機、１０…マッサージ機本体、４０…エアーバッグ（施療部）、５０…ヒーター線配置部材、５０Ａ…シート面、５１…大伸縮部、５２…小伸縮部、６０…ヒーター線、６０Ａ…第１波形構造、６０Ｂ…第２波形構造、６１…第１傾斜部分、６２…第２傾斜部分、６３…折曲部分。
【図１】
2014076198.tif 000003
【図２】
2014076198.tif 000004
【図３】
2014076198.tif 000005
【図４】
2014076198.tif 000006
【図５】
2014076198.tif 000007
【図６】
2014076198.tif 000008
【図７】
2014076198.tif 000009
【図８】
2014076198.tif 000010
【図９】
2014076198.tif 000011
【図１０】
2014076198.tif 000012
【図１１】
2014076198.tif 000013
【図１２】
2014076198.tif 000014
【図１３】
2014076198.tif 000015
【図１４】
2014076198.tif 000016
【図１５】
2014076198.tif 000017